(57)【要約】【課題】組立作業性が良好で製造コストおよび消費電力を低減できると共に、導光ロスを抑制できて照光品位の良好なスイッチ用可動接点ユニットと、かかるスイッチ用可動接点ユニットを用いたスイッチ装置とを提供すること。【解決手段】  基板１上に実装したＬＥＤ２の発光部２ａを可撓性導光板６の入光部６ｃに対向させて、該導光板６内へ導入されたＬＥＤ２の光が該導光板６の照光部６ｂを介して操作キー３の底面へ投射されるようにする。可撓性導光板６は接点付きシート部材５の可撓性シート９上に積層されており、可撓性シート９の下面には金属薄膜からなる反射膜１０が被着されている。可撓性シート９の下面側には複数の可動接点１２が配設されており、接点付きシート部材５は可動接点１２群が固定接点７群と接離可能に対向するように基板１上に配置される。操作キー３は可撓性導光板６と可撓性シート９を介して可動接点１２を押圧駆動する。【選択図】図２
2008181791.tif 000002
【特許請求の範囲】
【請求項１】
光源と複数の固定接点が配設された基板上にこれら固定接点群を覆って載置されると共に、前記基板側と逆側の面を複数の操作キーの底面に対向させるスイッチ用可動接点ユニットであって、
表裏両面のいずれかに反射膜が被着された可撓性シートの一面側に複数の可動接点を配設して、これら可動接点群が前記固定接点群と接離可能に対向するように前記基板上に配置される接点付きシート部材と、前記可撓性シートの他面側に積層されて一部を前記光源からの光が入射される入光部となし、かつ前記操作キー群の底面を臨む複数箇所に照光部を設けた可撓性導光板とを備え、
前記操作キーが前記可撓性導光板と前記可撓性シートを介して前記可動接点を押圧駆動することによって該可動接点が対応する前記固定接点に接触するようになし、かつ前記入光部から前記可撓性導光板内へ導入された前記光源の光が前記照光部を介して前記操作キーの底面に投射されるように構成したことを特徴とするスイッチ用可動接点ユニット。
【請求項２】
請求項１の記載において、前記反射膜が金属薄膜からなることを特徴とするスイッチ用可動接点ユニット。
【請求項３】
請求項２の記載において、前記可動接点が反転可能なドーム状板ばねからなることを特徴とするスイッチ用可動接点ユニット。
【請求項４】
請求項３の記載において、前記可撓性シートが透光性樹脂からなると共に、この可撓性シートの前記可動接点群が配設される側の面に前記反射膜を設け、かつ絶縁性基材の表裏両面に粘着層を設けてなる両面粘着シートを該反射膜に被着させることによって、前記可動接点群が前記両面粘着シートを介して前記可撓性シートに保持される構成にしたことを特徴とするスイッチ用可動接点ユニット。
【請求項５】
請求項４の記載において、前記可撓性シートの前記可撓性導光板と対向する側の面に多数の微小な凹凸からなる非密着部を設け、この非密着部で前記可撓性シートと前記可撓性導光板とが略点接触するように構成したことを特徴とするスイッチ用可動接点ユニット。
【請求項６】
請求項１〜３のいずれか１項の記載において、前記可撓性シートの前記可撓性導光板と対向する側の面に前記反射膜を設けたことを特徴とするスイッチ用可動接点ユニット。
【請求項７】
基板上に実装された光源と、前記基板に設けられた複数の固定接点と、表裏両面のいずれかに金属薄膜からなる反射膜が被着された可撓性シートの一面側に複数の可動接点を配設して、これら可動接点群が前記固定接点群と接離可能に対向するように前記基板上に配置された接点付きシート部材と、前記可撓性シートの他面側に積層されて一部を前記光源からの光が入射される入光部となし、かつ前記操作キー群の底面を臨む複数箇所に照光部を設けた可撓性導光板と、この可撓性導光板と前記可撓性シートを介して前記可動接点群を個別に押圧駆動するための複数の操作キーとを備え、
前記入光部から前記可撓性導光板内へ導入された前記光源の光が前記照光部を介して前記操作キーの底面に投射されるように構成したことを特徴とするスイッチ装置。
【請求項８】
請求項７の記載において、前記可動接点が反転可能なドーム状板ばねからなることを特徴とするスイッチ装置。
【発明の詳細な説明】
【技術分野】
【０００１】
本発明は、複数の操作キーによって個別に押圧駆動される複数のスイッチ素子を備えた照光機能付きのスイッチ装置に組み込まれるスイッチ用可動接点ユニットと、かかるスイッチ用可動接点ユニットを用いたスイッチ装置とに関する。
【背景技術】
【０００２】
例えば携帯電話器などの入力部では、複数のスイッチ素子を個別に押圧駆動するための操作キー群が暗所においても視認できると使い勝手が良くなるため、操作キー群に底面側から光を投射することによって該操作キー群の文字や記号等を照光させるようにした照光装置が組み込まれることが多い。このような照光機能付きのスイッチ装置の従来例としては、スイッチ素子群が配設された基板上で操作キー群の各底面の近傍にＬＥＤ等の光源を実装するという構造のものが広く知られているが、かかる従来構造では、基板上に多くの光源を実装しなければならないため、製造コストおよび消費電力が増大してしまうという不具合があった。
【０００３】
また、このような不具合を解消するために、可撓性を有する透光性樹脂からなる導光板の一辺端部に光源を取り付け、該導光板をスイッチ素子群を覆うように基板上に載置して、該基板に光源を接続させることによって、各操作キーが導光板を介して各スイッチ素子の可動接点を固定接点に向けて押圧駆動できるようにすると共に、一辺端部から導入した光源の光を導光板の照光部で屈折させて操作キー群の底面に投射するようにした照光機能付きのスイッチ装置が従来より提案されている（例えば、特許文献１参照）。このように一辺端部から光源の光が導入できる可撓性の導光板を用いると、光源の数を大幅に低減できるため製造コストおよび消費電力を低減することができる。
【特許文献１】特開２００１−１６７６５５号公報（第３−４頁、図２）
【発明の開示】
【発明が解決しようとする課題】
【０００４】
しかしながら特許文献１に開示された従来提案では、基板上に複数の可動接点を分散して配設する作業や、可撓性の導光板の一辺端部に光源を取り付ける作業が煩雑であり、該導光板を基板上に載置させる際にも、光源を基板と電気的に接続させるための煩雑な作業が必要となるため、組立作業性が悪いという問題があった。
【０００５】
そこで本発明者らは、組立作業性を改善するために、複数の可動接点を可撓性シートの一面に保持してなる接点付きのシート部材を基板上に載置することによって、可動接点群が一括して基板上に組み込めるようにすると共に、該可撓性シート上に積層した可撓性の導光板の側端面に該基板上に実装した光源の光を入射させるという構造のスイッチ装置について検討した。しかし、可撓性の導光板を可撓性シート上に積層すると両者が密着してしまうため、導光板内へ導入された光が可撓性シート内へ漏れて拡散されやすくなり、その結果、導光ロスが増大して光源から遠い操作キーを十分な光量で照光できなくなるという新たな問題の発生することが判明した。
【０００６】
本発明は、このような従来技術の実情に鑑みてなされたもので、その第１の目的は、組立作業性が良好で製造コストおよび消費電力を低減できると共に、導光ロスを抑制できて照光品位の良好なスイッチ用可動接点ユニットを提供することにある。また、本発明の第２の目的は、かかるスイッチ用可動接点ユニットを用いたスイッチ装置を提供することにある。
【課題を解決するための手段】
【０００７】
上記の第１の目的を達成するため、本発明のスイッチ用可動接点ユニットは、光源と複数の固定接点が配設された基板上にこれら固定接点群を覆って載置されると共に、前記基板側と逆側の面を複数の操作キーの底面に対向させるというスイッチ用可動接点ユニットであって、表裏両面のいずれかに反射膜が被着された可撓性シートの一面側に複数の可動接点を配設して、これら可動接点群が前記固定接点群と接離可能に対向するように前記基板上に配置される接点付きシート部材と、前記可撓性シートの他面側に積層されて一部を前記光源からの光が入射される入光部となし、かつ前記操作キー群の底面を臨む複数箇所に照光部を設けた可撓性導光板とを備え、前記操作キーが前記可撓性導光板と前記可撓性シートを介して前記可動接点を押圧駆動することによって該可動接点が対応する前記固定接点に接触するようになし、かつ前記入光部から前記可撓性導光板内へ導入された前記光源の光が前記照光部を介して前記操作キーの底面に投射されるように構成した。
【０００８】
このように構成されたスイッチ用可動接点ユニットでは、可撓性導光板を用いているため、光源の数を大幅に減らすことができて製造コストおよび消費電力を低減できる。また、光源を基板に実装すれば良いので、光源を可撓性導光板に取り付けた後に基板に接続していた構造に比べると組立作業性が良好となる。しかも、可撓性シートに保持された複数の可動接点を一括して基板上に配置させることができると共に、可撓性導光板を可動接点群に対して高い位置精度で配置させることが容易なため、組立作業性は極めて良好となる。さらに、可撓性シートの一面または他面に反射膜が被着されているため、光源から可撓性導光板内へ導入された光は反射膜で反射されて可撓性シート内へ漏れないか、あるいは可撓性シート内へ漏れても反射膜で反射されて再び可撓性導光板内へ戻すことができ、それゆえ導光ロスを大幅に低減することができる。
【０００９】
上記のスイッチ用可動接点ユニットにおいて、反射膜がアルミニウム等の金属薄膜からなると、可撓性シートの撓みに無理なく追従可能な薄い反射膜を蒸着等の手法で容易に形成できるため好ましい。
【００１０】
また、上記のスイッチ用可動接点ユニットにおいて、可動接点シートに保持される可動接点の材質や構造は適宜選択可能であるが、可動接点が反転可能なドーム状板ばねからなると、良好な操作性と信頼性を期待できて部品コストも抑えられるため好ましい。この場合において、可撓性シートが透光性樹脂からなると共に、この可撓性シートの可動接点群が配設される側の面に反射膜を設け、かつ絶縁性基材の表裏両面に粘着層を設けてなる両面粘着シートを該反射膜に被着させることによって、可動接点群が両面粘着シートを介して可撓性シートに保持されるという構成にしてあると、可撓性導光板内から可撓性シート内へ漏れた光だけでなく、光源から可撓性シート内へ直接入り込んだ光も反射膜で反射して可撓性導光板内へ供給することができるため、可撓性シート自体を導光路として利用できるようになる。しかも、ドーム状板ばねからなる可動接点が反転したときに懸念される反射膜（金属薄膜）との短絡は、両面粘着シートの絶縁性基材によって確実に防止できる。また、これに加えて、可撓性シートの可撓性導光板と対向する側の面に多数の微小な凹凸からなる非密着部を設け、この非密着部で可撓性シートと可撓性導光板とが略点接触するように構成すると、可撓性導光板内を進む光が非密着部では可撓性シート内へ漏れにくくなるため、導光ロスを一層低減することができる。
【００１１】
一方、可撓性シートの可撓性導光板と対向する側の面に反射膜を設けた場合には、可撓性導光板内から可撓性シート内への光漏れがなくなると共に、両面粘着シートを用いることなく可動接点群を可撓性シートの一面に保持できるようになる。
【００１２】
上記の第２の目的を達成するため、本発明のスイッチ装置は、基板上に実装された光源と、前記基板に設けられた複数の固定接点と、表裏両面のいずれかに金属薄膜からなる反射膜が被着された可撓性シートの一面側に複数の可動接点を配設して、これら可動接点群が前記固定接点群と接離可能に対向するように前記基板上に配置された接点付きシート部材と、前記可撓性シートの他面側に積層されて一部を前記光源からの光が入射される入光部となし、かつ前記操作キー群の底面を臨む複数箇所に照光部を設けた可撓性導光板と、この可撓性導光板と前記可撓性シートを介して前記可動接点群を個別に押圧駆動するための複数の操作キーとを備え、前記入光部から前記可撓性導光板内へ導入された前記光源の光が前記照光部を介して前記操作キーの底面に投射されるように構成した。
【００１３】
このように構成されたスイッチ装置では、可撓性導光板を用いているため、光源の数を大幅に減らすことができて製造コストおよび消費電力を低減できる。また、光源を基板に実装すれば良いので、光源を可撓性導光板に取り付けた後に基板に接続していた構造に比べると組立作業性が良好となる。しかも、このスイッチ装置は接点付きシート部材を用いており、可撓性シートに保持された複数の可動接点を一括して基板上に配置させることができるため、組立作業性は極めて良好となる。さらに、可撓性シートの一面または他面に反射膜が被着されているため、光源から可撓性導光板内へ導入された光は反射膜で反射されて可撓性シート内へ漏れないか、あるいは可撓性シート内へ漏れても反射膜で反射されて再び可撓性導光板内へ戻すことができ、それゆえ導光ロスを大幅に低減することができる。
【００１４】
上記のスイッチ装置において、可動接点シートに保持される可動接点の材質や構造は適宜選択可能であるが、可動接点が反転可能なドーム状板ばねからなると、良好な操作性および信頼性を期待できて部品コストも抑えられるため好ましい。
【発明の効果】
【００１５】
本発明のスイッチ用可動接点ユニットは、可撓性導光板を用いているため、光源の数を大幅に減らすことができて製造コストおよび消費電力を低減できる。また、光源を基板に実装すれば良いので、光源を可撓性導光板に取り付けた後に基板に接続していた構造に比べると組立作業性が良好となる。しかも、可撓性シートに保持された複数の可動接点を一括して基板上に配置させることができると共に、可撓性導光板を可動接点群に対して高い位置精度で配置させることが容易なため、組立作業性は極めて良好となる。さらに、可撓性シートの一面または他面に反射膜が被着されているため、光源から可撓性導光板内へ導入された光は反射膜で反射されて可撓性シート内へ漏れないか、あるいは可撓性シート内へ漏れても反射膜で反射されて再び可撓性導光板内へ戻すことができ、それゆえ導光ロスを大幅に低減することができて、光源から遠い操作キーでも十分な光量で照光可能な高品位な照光を実現できる。
【００１６】
本発明のスイッチ装置は、可撓性導光板を用いているため、光源の数を大幅に減らすことができて製造コストおよび消費電力を低減できる。また、光源を基板に実装すれば良いので、光源を可撓性導光板に取り付けた後に基板に接続していた構造に比べると組立作業性が良好となる。しかも、このスイッチ装置は接点付きシート部材を用いており、可撓性シートに保持された複数の可動接点を一括して基板上に配置させることができるため、組立作業性は極めて良好となる。さらに、可撓性シートの一面または他面に反射膜が被着されているため、光源から可撓性導光板内へ導入された光は反射膜で反射されて可撓性シート内へ漏れないか、あるいは可撓性シート内へ漏れても反射膜で反射されて再び可撓性導光板内へ戻すことができ、それゆえ導光ロスを大幅に低減することができて、光源から遠い操作キーでも十分な光量で照光可能な高品位な照光を実現できる。
【発明を実施するための最良の形態】
【００１７】
発明の実施の形態を図面を参照して説明すると、図１は本発明の第１実施形態例に係るスイッチ装置を蓋ケースを省略して示す平面図、図２は該スイッチ装置の要部断面図、図３は該スイッチ装置に用いられる可動接点ユニットの要部断面図である。
【００１８】
これらの図に示すスイッチ装置は、ＬＥＤ２が実装された基板１と、蓋ケース４の開口４ａに配置された複数の操作キー３と、基板１上に載置された接点付きシート部材５と、この接点付きシート部材５上に積層された可撓性導光板６とによって主に構成されており、接点付きシート部材５と可撓性導光板６は予め積層状態で一体化されて可動接点ユニット１５として取り扱われる。基板１の上面には、各操作キー３の下方に固定接点７やコモン接点８が配設されており、両接点７，８は電気的に非導通となるように所定の間隔を存して露出している。また、この基板１には、固定接点７やコモン接点８から導出された図示せぬ配線パターンやスルーホール等が設けられている。ＬＥＤ２は、各操作キー３を暗所で照光させるための光源である。このＬＥＤ２の発光部２ａは、可撓性導光板６の一辺端に沿う側端面６ａの中央部に近接状態で対向しており、発光部２ａから出射されて可撓性導光板６内へ導入された光が、該導光板６の照光部６ｂを介して操作キー３の底面へ投射されるようになっている。
【００１９】
可動接点ユニット１５の接点付きシート部材５は、ＰＥＴ（ポリエチレンテレフタレート）等の透光性樹脂からなる可撓性シート９と、この可撓性シート９の下面に金属薄膜を被着させて形成した反射膜１０と、この反射膜１０のほぼ全面に貼着された両面粘着シート１１と、この両面粘着シート１１を介して可撓性シート９に保持された複数の可動接点１２と、可動接点１２群の存しない領域で両面粘着シート１１に貼着されたスペーサシート１３とによって構成される積層体であり、スペーサシート１３の下面には粘着層１３ａが設けられている。可撓性シート９の上面のほぼ全体には微小な凹凸が多数形成されて非密着部９ａとなっている。この非密着部９ａは可撓性導光板６の下面と略点接触しているが、後述するように可撓性シート９の上面の複数箇所は可撓性導光板６に接着固定されている。なお、このような非密着部９ａは、例えば可撓性シート９を金型でプレスすることにより該金型内の凹凸形状を転写して所望範囲に形成できる。可撓性シート９の下面に設けられた反射膜１０はアルミニウムを蒸着させて形成したものであり、その膜圧は可撓性シート９の撓みに無理なく追従可能な薄さに設定されている。図３に示すように、両面粘着シート１１は絶縁性基材１１ａの表裏両面に粘着層１１ｂを設けたものであり、また、可動接点１２は反転時にクリック感を生起する金属製のドーム状板ばねからなる。
【００２０】
この接点付きシート部材５は、可動接点１２群が固定接点７群と接離可能に対向するように基板１上に配置されて、スペーサシート１３の粘着層１３ａによって該基板１に固定されている。こうして接点付きシート部材５を基板１上に位置決めして固定すると、図２に示すように、可動接点１２の周縁部がコモン接点８に当接して常時導通すると共に、可動接点１２の中央部が固定接点７と接離可能に対向する。ただし、可動接点ユニット１５の保管時や運搬時にはスペーサシート１３の粘着層１３ａに図示せぬ剥離テープを貼着しておき、接点付きシート部材５を基板１に固定する段階で該剥離テープを剥がして粘着層１３ａを露出させる。なお、接点付きシート部材５には基板１に対する取付位置を規定するための図示せぬ位置決め孔が２箇所に形成されており、これら位置決め孔を基準として可動接点１２群が配設されている。
【００２１】
可動接点ユニット１５の可撓性導光板６は、例えばウレタンやシリコンなどの透光性に優れた可撓性材料をシート状に成形したものであり、接点付きシート部材５の可撓性シート９の上面に積層状態で一体化されている。可撓性導光板６の上面には、操作キー３の底面と対向する箇所に、該導光板６内を進む光を屈折させて上方へ投射するための照光部６ｂが設けられている。また、可撓性導光板６の側端面６ａの中央部は、ＬＥＤ２からの光が入射される入光部６ｃとなっている。図１に示すように、可撓性導光板６の四隅と入光部６ｃ近傍の２箇所は取付部６ｄとなっており、これら取付部６ｄは可撓性シート９の上面に接着剤を用いて固定されている。つまり、可撓性導光板６は可撓性シート９を介して間接的に基板１に固定されている。ただし、取付部６ｄが可撓性シート９に例えば熱圧着やレーザ溶着、超音波溶着される部位であっても良い。また、可撓性導光板６と接点付きシート部材５の対応する２箇所には、基板１に対する取付位置を規定するための位置決め孔６ｆ（接点付きシート部材５の位置決め孔は図示せず）が形成されている。これら位置決め孔６ｆを基準として可撓性導光板６は基板１上に実装されるため、取付部６ｄはＬＥＤ２からの光の出射角度の範囲内にかからないように設定される。
【００２２】
なお、接点付きシート部材５に固定されていない可撓性導光板６を基板１に直接固定することも可能である。すなわち、接点付きシート部材５を基板１へ組み付けた後に可撓性導光板６を可撓性シート９上に積層して、該導光板６の可撓性シート９上からせり出している部分を接着剤を用いて基板１に直接固定しても良い。また、可撓性導光板６に設けた収納孔にＬＥＤ２を配置させてその光を照光部６ｂへ導くようにすることも可能であり、この場合は該収納孔の内壁面が入光部６ｃとなる。
【００２３】
操作キー３は、基板１上に載置された可撓性導光板６の照光部６ｂ上に昇降可能に搭載されており、蓋ケース４によって抜け止めがなされている。図示していないが、操作キー３の上面には文字や記号等を印刷した発光部が設けられており、この発光部が底面側から投射される照光部６ｂの光によって発光するようになっている。
【００２４】
次に、このように構成されたスイッチ装置の動作について説明する。ユーザが所望の操作キー３を下方へ押し込むと、可撓性導光板６と可撓性シート９を介して可動接点１２が押圧駆動されるため、操作キー３が所定ストローク下降した時点で、可動接点１２の中央部が反転して固定接点７に当接する。その結果、可動接点１２を介して固定接点７とコモン接点８とが導通されるためスイッチオン状態に切り替わる。また、可動接点１２の反転時にクリック感が生起されるため、このクリック感によってユーザは押圧操作が確実に行われたことを感得することができる。なお、操作キー３に対する押圧操作力が除去されると、可動接点１２は自らの弾性で元のドーム形状に復帰し、可撓性導光板６と可撓性シート９も撓みが解消されるため、該操作キー３は初期位置まで押し上げられる。
【００２５】
上記の如く本実施形態例にあっては、光源であるＬＥＤ２を基板１上に実装して、このＬＥＤ２の発光部２ａを可撓性導光板６の側端面６ａに対向させているため、可撓性導光板６の各照光部６ｂから各操作キー３の底面へ向けて効率良く光を投射することができる。それゆえ、光源の数を大幅に減らすことができて製造コストや消費電力を低減できるのみならず、光源を可撓性導光板に取り付けた後に基板に接続していた構造に比べると組立作業性が良好となる。
【００２６】
また、本実施形態例にあっては、可撓性シート９の下面側に可動接点１２群を配設した接点付きシート部材５を用い、この接点付きシート部材５上に可撓性導光板６を積層状態で一体化させて可動接点ユニット１５となしているため、基板１上に可動接点１２群を一括して配置させることができると共に、可撓性導光板６を可動接点１２群に対して高い位置精度で配置させることが容易であり、それゆえ組立作業性が極めて良好となる。しかも、接点付きシート部材５のスペーサシート１３には剥離シートを剥離可能に貼着するための粘着層１３ａが設けられているので、保管時や運搬時には接点付きシート部材５に剥離シートを貼着させておき、基板１上へ組み付ける際に剥離シートを剥がして接点付きシート部材５を該基板１に固定させれは良い。それゆえ、この可動接点ユニット１５は、取扱い性が極めて良好で保管や運搬も支障なく行える。
【００２７】
また、本実施形態例にあっては、可撓性シート９の下面が金属薄膜からなる反射膜１０に覆われているため、ＬＥＤ２から可撓性導光板６内へ導入された光が透光性の可撓性シート９内へ漏れても、その漏光を反射膜１０で反射して再び可撓性導光板６内へ戻すことができる。また、ＬＥＤ２から可撓性シート９の側端面に直接入り込んだ光も、反射膜１０で反射して可撓性導光板６内へ供給することができる。つまり、このスイッチ装置は可撓性シート９自体を導光路として利用できるようになっている。しかも、可撓性シート９の上面のほぼ全体は可撓性導光板６に対して略点接触する非密着部（微小凹凸部）９ａとなっているため、可撓性導光板６内を進む光が可撓性シート９内へ大量に漏れることはない。それゆえ、ＬＥＤ２の光を可撓性導光板６内へ効率良く導き入れることができて導光ロスが大幅に低減し、ＬＥＤ２から遠い操作キー３でも十分な光量で照光できるようになって、スイッチ装置全体の照光ムラが少ない高品位な照光を実現できる。なお、ドーム状板ばねからなる可動接点１２と金属薄膜からなる反射膜１０との間には両面粘着シート１１が介在しているため、可動接点１２が反転したときに懸念される反射膜１０との短絡は両面粘着シート１１の絶縁性基材１１ａによって確実に防止できる。
【００２８】
また、本実施形態例にあっては、可撓性導光板６と接点付きシート部材５に基板１に対する取付位置を規定するための位置決め孔６ｆ等が形成されているため、実装時に位置決め孔６ｆ等に図示せぬ位置決めピンを挿通させることにより、基板１に対して可撓性導光板６と接点付きシート部材５を容易かつ高精度に組み付けることができる。
【００２９】
図４は本発明の第２実施形態例に係るスイッチ装置の要部断面図であり、図２と対応する部分に同一符号を付すことによって重複する説明は省略してある。
【００３０】
図４に示すスイッチ装置は、反射膜１０を可撓性シート９の下面ではなく上面（可撓性導光板６と対向する側の面）に被着させると共に、可撓性シート９の下面側から両面粘着シートを省略した点が、前述した第１実施形態例と大きく異なっており、反射膜１０が被着される可撓性シート９の上面には、第１実施形態例のような微小な凹凸は形成されていない。このように可撓性シート９の上面が金属薄膜からなる反射膜１０に覆われていると、可撓性導光板６内から可撓性シート９内への光漏れが起こらなくなるため、導光ロスが大幅に低減してＬＥＤ２から遠い操作キー３でも十分な光量で照光できるようになる。また、可撓性シート９の下面に両面粘着シートを介在させることなく可動接点１２群が配設できて、可撓性シート９に非密着部（微小凹凸部）を形成する必要もなくなるため、接点付きシート部材５の構造を簡素化できて安価に製造できる。
【図面の簡単な説明】
【００３１】
【図１】本発明の第１実施形態例に係るスイッチ装置を蓋ケースを省略して示す平面図である。
【図２】図１に示すスイッチ装置の要部断面図である。
【図３】図１に示すスイッチ装置に用いられる可動接点ユニットの要部断面図である。
【図４】本発明の第２実施形態例に係るスイッチ装置の要部断面図である。
【符号の説明】
【００３２】
１  基板
２  ＬＥＤ（光源）
２ａ  発光部
３  操作キー
４  蓋ケース
５  接点付きシート部材
６  可撓性導光板
６ｂ  照光部
６ｃ  入光部
７  固定接点
８  コモン接点
９  可撓性シート
９ａ  非密着部
１０  反射膜
１１  両面粘着シート
１１ａ  絶縁性基材
１１ｂ  粘着層
１２  可動接点
１３  スペーサシート
１５  可動接点ユニット
【図１】
2008181791.tif 000003
【図２】
2008181791.tif 000004
【図３】
2008181791.tif 000005
【図４】
2008181791.tif 000006